(57)【要約】【課題】電波を利用した人体検知センサを備えた衛生洗浄装置において、使用者に関する情報をより確実に取得することができる衛生洗浄装置を提供することを目的とする。【解決手段】本体部と、前記本体部の内部に設けられ少なくともトイレルーム内への使用者の入室を電波により検知する人体検知センサと、前記本体部に対して進退可能に設けられ人体の局部を洗浄する洗浄ノズルと、を備え、前記人体検知センサは、前記本体部の後面に面した領域であって前記本体部の内部に後退した状態の前記洗浄ノズルよりも後方の領域に配置され、前記人体検知センサは、さらに、放射する前記電波の最大指向方向が前方側を向くように設けられたことを特徴とする衛生洗浄装置が提供される。【選択図】図１
2020012372.tif 000002
【特許請求の範囲】
【請求項１】
本体部と、
前記本体部の内部に設けられ少なくともトイレルーム内への使用者の入室を電波により検知する人体検知センサと、
前記本体部に対して進退可能に設けられ人体の局部を洗浄する洗浄ノズルと、
を備え、
前記人体検知センサは、前記本体部の後面に面した領域であって前記本体部の内部に後退した状態の前記洗浄ノズルよりも後方の領域に配置され、
前記人体検知センサは、さらに、放射する前記電波の最大指向方向が前方側を向くように設けられたことを特徴とする衛生洗浄装置。
【請求項２】
前記人体検知センサは、前記本体部の内部に後退した状態の前記洗浄ノズルよりも上方に配置されたことを特徴とする請求項１記載の衛生洗浄装置。
【請求項３】
前記本体部は、ケースカバーを有し、
前記人体検知センサは、前記後面に面した領域の最上方に配置され、
前記人体検知センサより高い位置には前記ケースカバーのみが存在することを特徴とする請求項２記載の衛生洗浄装置。
【請求項４】
前記ケースカバーの前記後面の最上方の部分は、前記本体部の最上方の部分であることを特徴とする請求項３記載の衛生洗浄装置。
【請求項５】
前記人体検知センサは、前記ケースカバーに取り付けられたことを特徴とする請求項３または４に記載の衛生洗浄装置。
【請求項６】
前記ケースカバーに対する前記人体検知センサの取付方向は、第１の取付方向と、第２の取付方向と、第３の取付方向と、を有し、
前記第１の取付方向で前記ケースカバーに取り付けられた前記人体検知センサから放射された前記電波の第１の最大指向方向と、前記第３の取付方向で前記ケースカバーに取り付けられた前記人体検知センサから放射された前記電波の第３の最大指向方向と、は、前記第２の取付方向で前記ケースカバーに取り付けられた前記人体検知センサから放射された前記電波の第２の最大指向方向からみて対称であることを特徴とする請求項５記載の衛生洗浄装置。
【請求項７】
前記本体部に対して開閉自在に軸支された便蓋をさらに備え、
前記人体検知センサは、前記使用者の退室をさらに検知し、
開いた状態の前記便蓋は、前記人体検知センサよりも後方に位置することを特徴とする請求項１〜６のいずれか１つに記載の衛生洗浄装置。
【発明の詳細な説明】
【技術分野】
【０００１】
本発明の態様は、一般的に、衛生洗浄装置に関する。
【背景技術】
【０００２】
例えばトイレルーム内への使用者の入室やトイレルーム内からの使用者の退室を検知する人体検知センサを備えた便座装置として、電波を利用した人体検知手段を備えた便座装置が提案されている（特許文献１）。特許文献１に記載された便座装置の人体検知手段は、マイクロ波やミリ波と称される高周波の電波を利用する。特許文献１に記載された便座装置の人体検知手段は、便座装置の正面から便座装置に近づく使用者を少しでも早く検知するために、洗浄ノズルの上方部且つ便座装置の本体部の内部における前方部に設けられている。
【０００３】
しかし、衛生洗浄装置が設置されるトイレルームのドアは、衛生洗浄装置の正面だけではなく、衛生洗浄装置の側方に設置されていることがある。特許文献１に記載された構成において、トイレルームのドアが衛生洗浄装置の側方に設置されている場合には、使用者が人体検知手段の検知領域に入ったときには使用者と衛生洗浄装置との間の距離が比較的近いことがある。使用者と衛生洗浄装置との間の距離が比較的近いときには、使用者が便座装置へ向かって移動する速度は、比較的遅い。すると、人体検知手段が使用者に関する情報（使用者の検知信号）を取得できないおそれがある。
【先行技術文献】
【特許文献】
【０００４】
【特許文献１】特開２００３−２８４６５５号公報
【発明の概要】
【発明が解決しようとする課題】
【０００５】
本発明は、かかる課題の認識に基づいてなされたものであり、電波を利用した人体検知センサを備えた衛生洗浄装置において、使用者に関する情報をより確実に取得することができる衛生洗浄装置を提供することを目的とする。
【課題を解決するための手段】
【０００６】
第１の発明は、本体部と、前記本体部の内部に設けられ少なくともトイレルーム内への使用者の入室を電波により検知する人体検知センサと、前記本体部に対して進退可能に設けられ人体の局部を洗浄する洗浄ノズルと、を備え、前記人体検知センサは、前記本体部の後面に面した領域であって前記本体部の内部に後退した状態の前記洗浄ノズルよりも後方の領域に配置され、前記人体検知センサは、さらに、放射する前記電波の最大指向方向が前方側を向くように設けられたことを特徴とする衛生洗浄装置である。
【０００７】
この衛生洗浄装置によれば、トイレルームのドアが衛生洗浄装置の正面に設置されている場合およびトイレルームのドアが衛生洗浄装置の側方に設置されている場合の両方において、人体検知センサと、トイレルームのドアと、の間の距離をより長く確保することができる。そのため、ドアの付近の人体検知センサの検知領域を、より広く確保することができる。そのため、人体検知センサは、衛生洗浄装置に比較的遠い位置の使用者、すなわち衛生洗浄装置に向かって移動する速度が比較的速い使用者を検知する。そのため、人体検知センサは、トイレルームに入室した使用者をより早い段階で検知することができる。これにより、人体検知センサは、使用者の入室をより確実に検知することができる。つまり、人体検知センサが使用者の入室を検知しないことを抑制することができる。
【０００８】
第２の発明は、第１の発明において、前記人体検知センサは、前記本体部の内部に後退した状態の前記洗浄ノズルよりも上方に配置されたことを特徴とする衛生洗浄装置である。
【０００９】
この衛生洗浄装置によれば、進退運動を行う洗浄ノズルを人体検知センサが検知することを抑制することができる。そのため、使用者の入室の人体検知センサによる検知精度を向上させることができる。
【００１０】
第３の発明は、第２の発明において、前記本体部は、ケースカバーを有し、前記人体検知センサは、前記後面に面した領域の最上方に配置され、前記人体検知センサより高い位置には前記ケースカバーのみが存在することを特徴とする衛生洗浄装置である。
【００１１】
この衛生洗浄装置によれば、ケースカバー以外の外乱を抑制することができる。そのため、人体検知センサは、使用者の入室を精度よく検知することができる。
【００１２】
第４の発明は、第３の発明において、前記ケースカバーの前記後面の最上方の部分は、前記本体部の最上方の部分であることを特徴とする衛生洗浄装置である。
【００１３】
この衛生洗浄装置によれば、人体検知センサからケースカバーを透過して放射された電波が使用者に到達するまでの障害物を減らすことができる。そのため、人体検知センサは、使用者の入室を精度よく検知することができる。
【００１４】
第５の発明は、第３または４の発明において、前記人体検知センサは、前記ケースカバーに取り付けられたことを特徴とする衛生洗浄装置である。
【００１５】
この衛生洗浄装置によれば、ケースカバーの表面と、人体検知センサから放射される電波の最大指向方向と、の間の角度の関係を安定させることができる。これにより、ケースカバーによる電波の減衰度合いを安定させることができる。そのため、人体検知センサは、使用者の入室を精度よく検知することができる。
【００１６】
第６の発明は、第５の発明において、前記ケースカバーに対する前記人体検知センサの取付方向は、第１の取付方向と、第２の取付方向と、第３の取付方向と、を有し、前記第１の取付方向で前記ケースカバーに取り付けられた前記人体検知センサから放射された前記電波の第１の最大指向方向と、前記第３の取付方向で前記ケースカバーに取り付けられた前記人体検知センサから放射された前記電波の第３の最大指向方向と、は、前記第２の取付方向で前記ケースカバーに取り付けられた前記人体検知センサから放射された前記電波の第２の最大指向方向からみて対称であることを特徴とする衛生洗浄装置である。
【００１７】
この衛生洗浄装置によれば、トイレルームのドアの位置に応じて、人体検知センサの最大指向方向を最適な方向に設定することができる。そのため、人体検知センサは、使用者の入室を精度よく検知することができる。
【００１８】
第７の発明は、第１〜６のいずれか１つの発明において、前記本体部に対して開閉自在に軸支された便蓋をさらに備え、前記人体検知センサは、前記使用者の退室をさらに検知し、開いた状態の前記便蓋は、前記人体検知センサよりも後方に位置することを特徴とする衛生洗浄装置である。
【００１９】
この衛生洗浄装置によれば、人体検知センサが使用者の退室を検知する際に、便蓋の障害を抑制することができる。そのため、人体検知センサは、使用者の退室を精度よく検知することができる。
【発明の効果】
【００２０】
本発明の態様によれば、電波を利用した人体検知センサを備えた衛生洗浄装置において、使用者に関する情報をより確実に取得することができる衛生洗浄装置が提供される。
【図面の簡単な説明】
【００２１】
【図１】本発明の実施の形態にかかる衛生洗浄装置を備えたトイレ装置を表す模式的斜視図である。
【図２】本実施形態にかかる衛生洗浄装置の要部構成を表すブロック図である。
【図３】トイレルームのドアの設置位置の違いを説明する模式的平面図である。
【図４】本実施形態の人体検知センサの設置位置を表す模式的断面図である。
【図５】本実施形態の人体検知センサの取付構造の具体例を表す模式的斜視図である。
【図６】本実施形態の人体検知センサの取付構造の他の具体例を表す模式的斜視図である。
【図７】本実施形態の人体検知センサの取付構造のさらに他の具体例を表す模式的斜視図である。
【図８】本実施形態の人体検知センサの取付構造のさらに他の具体例を表す模式的斜視図である。
【発明を実施するための形態】
【００２２】
以下、本発明の実施の形態について図面を参照しつつ説明する。なお、各図面中、同様の構成要素には同一の符号を付して詳細な説明は適宜省略する。  
図１は、本発明の実施の形態にかかる衛生洗浄装置を備えたトイレ装置を表す模式的斜視図である。  
図２は、本実施形態にかかる衛生洗浄装置の要部構成を表すブロック図である。  
図１（ａ）は、便蓋が開いた状態および便座が閉じた状態を表す模式的斜視図である。図１（ｂ）は、便蓋および便座が開いた状態を表す模式的斜視図である。  
図２（ａ）は、本実施形態にかかる衛生洗浄装置の要部構成を表すブロック図である。図２（ｂ）は、人体検知センサの変形例を表すブロック図である。
【００２３】
図１に表したトイレ装置１０は、洋式腰掛便器（以下説明の便宜上、単に「便器」と称する）８００と、便器８００の上に設けられた衛生洗浄装置１００と、を備える。衛生洗浄装置１００は、本体部１１０と、便座１２０と、便蓋１３０と、人体検知センサ１４０と、を有する。本体部１１０は、便器８００の上に載置される。便座１２０および便蓋１３０のそれぞれは、本体部１１０に対して開閉自在に軸支されている。
【００２４】
人体検知センサ１４０は、本体部１１０の内部に設けられ、トイレルーム内への使用者の入室およびトイレルーム内からの使用者の退室を検知する。人体検知センサ１４０の配置の詳細については、後述する。人体検知センサ１４０は、マイクロ波あるいはミリ波などの高周波の電波を放射（送信）し、放射した電波の被検知体からの反射波を受信する。人体検知センサ１４０は、被検知体の有無や状態を検知し、その検知信号を出力する。
【００２５】
図２（ａ）に表したように、人体検知センサ１４０は、アンテナ１４１と、送信部１４３と、受信部１４５と、ミキサ部１４７と、を有する。高周波、マイクロ波あるいはミリ波などの１０ｋＨｚ〜１００ＧＨｚの周波数帯の電波が、送信部１４３に接続されたアンテナ１４１から放射される。具体的には、例えば２４．１５ＧＨｚの周波数を有する送信波Ｔ１が、アンテナ１４１から放射される。人体などの被検知体からの反射波または透過波Ｔ２は、アンテナ１４１を経由して受信部１４５に入力される。
【００２６】
図２（ａ）に表した人体検知センサ１４０のように、送信側のアンテナおよび受信側のアンテナは、互いに共通のアンテナ（アンテナ１４１）であってもよい。または、図２（ｂ）に表した人体検知センサ１４０ａのように、送信側のアンテナ１４１ａが送信部１４３に接続され、受信側のアンテナ１４１ｂが受信部１４５に接続されていてもよい。つまり、図２（ａ）に表した人体検知センサ１４０は、図２（ｂ）に表した人体検知センサ１４０ａに置き換えられてもよい。
【００２７】
本実施形態では、人体検知センサ１４０がドップラー効果を利用したドップラーセンサである場合を例に挙げ説明する。  
送信波の一部と受信波とは、ミキサ部１４７にそれぞれ入力されて合成され、例えばドップラー効果が反映された出力信号が出力される。ミキサ部１４７から出力された検知信号は、制御部１５１に出力される。
【００２８】
ミキサ部１４７から出力された検知信号は、周波数の低いベースラインに周波数の高い信号が重畳した波形を有する。高周波数成分には、ドップラー効果に関する情報が含まれる。すなわち、人体などの被検知体が移動すると、ドップラー効果によって反射波の波長がシフトする。ドップラー周波数ΔＦ（Ｈｚ）は、下記の式（１）により表すことができる。
ΔＦ＝Ｆｓ−Ｆｂ＝２×Ｆｓ×ｖ／ｃ          式（１）
但し、Ｆｓ：送信周波数（Ｈｚ）
Ｆｂ：反射周波数（Ｈｚ）
ｖ：物体の移動速度（ｍ／ｓ）
ｃ：光速（＝３００×１０６ｍ／ｓ）
人体検知センサ１４０に対して被検知体が相対的に移動すると、式（１）で表されるように、その速度ｖに比例した周波数ΔＦを含む出力信号が得られる。出力信号は周波数スペクトラムを有し、スペクトラムのピークに対応するピーク周波数と移動体の速度ｖとの間には相関関係がある。従って、ドップラー周波数ΔＦを測定することにより速度ｖを求めることができる。なお、日本においては、人体を検知する目的として、１０．５０〜１０．５５ＧＨｚまたは２４．０５〜２４．２５ＧＨｚの周波数を使用することができる。
【００２９】
なお、本実施形態の人体検知センサ１４０は、ドップラー効果を利用したドップラーセンサには限定されない。人体検知センサ１４０は、周波数変調やパルス出力を利用した測距センサであってもよい。
【００３０】
洗浄ノズル１５５は、ノズルモータ１５３から伝達された駆動力を受け、本体部１１０の内部から本体部１１０の外部へ進出したり、本体部１１０の外部から本体部１１０の内部へ後退することができる。つまり、ノズルモータ１５３は、制御部１５１から送信された信号に基づいて洗浄ノズル１５５を進退させることができる。本体部１１０の内部に収納された状態の洗浄ノズル１５５の前方には、図示しない進出開口が設けられている。進出開口は、本体部１１０の外形を形成するケーシング１１１に設けられている。
【００３１】
なお、本願明細書においては、通常使用状態において便座１２０に座った使用者からみて前方を「前方」とし、通常使用状態において便座１２０に座った使用者からみて後方を「後方」とする。また、後方を向いて便器８００の前に立った使用者からみて右側を「右側方」とし、左側を「左側方」とする。
【００３２】
進出開口の前方には、ノズルシャッタ１１５（図１（ｂ）参照）が設けられている。ノズルシャッタ１１５は、進出開口を塞ぐように設けられている。例えば、使用者が便座１２０に座った状態において操作部２００を操作すると、洗浄ノズル１５５は、ボウル８０１内に進出する。このとき、洗浄ノズル１５５は、例えばノズルシャッタ１１５の内面（本体部１１０の内部側の面）を押しノズルシャッタ１１５を開くことで、ボウル８０１内に進出する。
【００３３】
洗浄ノズル１５５の先端部には、ひとつあるいは複数の吐水口１５５ａが設けられている。洗浄ノズル１５５は、その先端部に設けられた吐水口１５５ａから水を噴射して、便座１２０に座った使用者の「おしり」などを洗浄することができる。なお、本願明細書において「水」という場合には、冷水のみならず、加温されたお湯も含むものとする。
【００３４】
便蓋開閉ユニット１５７は、制御部１５１から送信された信号に基づいて便蓋１３０を開閉する。便座開閉ユニット１５９は、制御部１５１から送信された信号に基づいて便座１２０を開閉する。
【００３５】
図３は、トイレルームのドアの設置位置の違いを説明する模式的平面図である。  
図３（ａ）は、ドアが衛生洗浄装置の正面（前方）に設置されたトイレルームを例示する模式的平面図である。図３（ｂ）は、ドアが衛生洗浄装置の側方に設置されたトイレルームを例示する模式的平面図である。
【００３６】
図３（ａ）に表したように、衛生洗浄装置１００が設置されるトイレルーム３００のドア３１１は、衛生洗浄装置１００の正面（前方）に設置されていることがある。あるいは、図３（ｂ）に表したように、衛生洗浄装置１００が設置されるトイレルーム３００のドア３１１は、衛生洗浄装置１００の側方（図３（ｂ）の例では左側方）に設置されていることがある。
【００３７】
図３（ａ）に表した矢印３５１のように、トイレルーム３００のドア３１１が衛生洗浄装置１００の正面に設置されている場合には、使用者が人体検知センサ１４０の検知領域１４８に入ったときには、使用者と衛生洗浄装置１００との間の距離は、比較的遠い。一方で、図３（ｂ）に表した矢印３５３のように、トイレルーム３００のドア３１１が衛生洗浄装置１００の側方に設置されている場合には、使用者が人体検知センサ１４０の検知領域１４８に入ったときには、使用者と衛生洗浄装置１００との間の距離は、比較的近い。
【００３８】
一般的に、衛生洗浄装置１００に比較的近い位置では、使用者は、衛生洗浄装置１００に向かって移動する速度を低くする。つまり、衛生洗浄装置１００に比較的近い位置では、使用者が衛生洗浄装置１００に向かって移動する速度は、比較的遅い。そのため、トイレルーム３００のドア３１１が衛生洗浄装置１００の側方に設置されている場合には、使用者が人体検知センサ１４０の検知領域１４８に入っても、人体検知センサ１４０は、トイレルーム３００に入室した使用者を検知できないおそれがある。
【００３９】
これに対して、図３（ａ）および図３（ｂ）に表したように、本実施形態の人体検知センサ１４０は、本体部１１０の内部の領域であって本体部１１０の後面１１２に面した領域に設けられている。  
人体検知センサ１４０の配置について、図面を参照しつつさらに説明する。
【００４０】
図４は、本実施形態の人体検知センサの設置位置を表す模式的断面図である。  
図４（ａ）および図４（ｂ）は、図１（ａ）に表した切断面Ａ−Ａにおける模式的断面図である。図４（ａ）は、便蓋が開いた状態および便座が閉じた状態を表す模式的断面図である。図４（ｂ）は、便蓋および便座が開いた状態を表す模式的断面図である。
【００４１】
衛生洗浄装置１００の本体部１１０は、本体部１１０の外形を形成するケーシング１１１を有する。図４（ａ）および図４（ｂ）に表したように、ケーシング１１１は、ケースカバー１１１ａと、ケースプレート１１１ｂと、を有する。
【００４２】
ケースカバー１１１ａは、第１の後面部１１２ａと、第２の後面部１１２ｂと、を有する。第１の後面部１１２ａは、水平方向に対して傾斜した面を有する。第２の後面部１１２ｂは、第１の後面部１１２ａに接続され、鉛直方向に延在する。第１の後面部１１２ａの外側の面および第２の後面部１１２ｂの外側の面は、後面１１２を形成する。
【００４３】
なお、ケースカバー１１１ａは、第１の後面部１１２ａと、第２の後面部１１２ｂと、を有することには限定されない。ケースカバー１１１ａの後面１１２は、１つの部分により形成されていてもよい。あるいは、ケースカバー１１１ａの後面１１２は、３つ以上の部分により形成されていてもよい。図４（ａ）および図４（ｂ）に表したケーシング１１１は、一例であり、これだけには限定されない。
【００４４】
図３（ａ）および図３（ｂ）に関して前述したように、本実施形態の人体検知センサ１４０は、本体部１１０の内部の領域であって本体部１１０の後面１１２に面した領域に設けられている。また、図４（ａ）および図４（ｂ）に表したように、人体検知センサ１４０は、本体部１１０の内部に収納された状態（後退状態）の洗浄ノズル１５５よりも後方の領域に設けられている。言い換えれば、本体部１１０の内部に収納された状態の洗浄ノズル１５５の後端部と、人体検知センサ１４０の前端部と、の間には、隙間Ｃ１が存在する。
【００４５】
これによれば、トイレルーム３００のドア３１１が衛生洗浄装置１００の正面に設置されている場合およびトイレルーム３００のドア３１１が衛生洗浄装置１００の側方に設置されている場合の両方において、人体検知センサ１４０が本体部１１０の前方部に設けられた場合と比較して、人体検知センサ１４０と、トイレルーム３００のドア３１１と、の間の距離を長く確保することができる。そのため、ドア３１１の付近の人体検知センサ１４０の検知領域１４８を、より広く確保することができる。そのため、人体検知センサ１４０は、衛生洗浄装置１００に比較的遠い位置の使用者、すなわち衛生洗浄装置１００に向かって移動する速度が比較的速い使用者を検知する。そのため、人体検知センサ１４０は、トイレルーム３００に入室した使用者をより早い段階で検知することができる。これにより、人体検知センサ１４０は、使用者の入室および使用者の退室をより確実に検知することができる。つまり、人体検知センサ１４０が使用者の入室および使用者の退室を検知しないことを抑制することができる。
【００４６】
また、人体検知センサ１４０は、本体部１１０の内部に収納された状態の洗浄ノズル１５５よりも上方の領域に設けられている。言い換えれば、本体部１１０の内部に収納された状態の洗浄ノズル１５５の上端部と、人体検知センサ１４０の下端部と、の間には、隙間Ｃ２が存在する。
【００４７】
これによれば、進退運動を行う洗浄ノズル１５５を人体検知センサ１４０が検知することを抑制することができる。そのため、使用者の入室および使用者の退室の人体検知センサ１４０による検知精度を向上させることができる。
【００４８】
また、人体検知センサ１４０は、本体部１１０の内部において、後面１１２に面した領域の最上方に設けられ、人体検知センサ１４０よりも上方の位置にはケースカバー１１１ａのみが存在する。言い換えれば、本体部１１０の内部における人体検知センサ１４０よりも上方の位置には、ケースカバー１１１ａ以外の部材は、存在しない。
【００４９】
これによれば、ケースカバー１１１ａ以外の外乱を抑制することができる。そのため、人体検知センサ１４０は、使用者の入室および使用者の退室を精度よく検知することができる。
【００５０】
また、ケースカバー１１１ａの後面の最上方の部分は、本体部１１０の最上方の部分である。  
これによれば、人体検知センサ１４０からケースカバー１１１ａを透過して放射された電波が使用者に到達するまでの障害物を減らすことができる。そのため、人体検知センサ１４０は、使用者の入室および使用者の退室を精度よく検知することができる。
【００５１】
また、図４（ａ）および図４（ｂ）に表したように、開いた状態の便蓋１３０は、人体検知センサ１４０よりも後方に位置する。言い換えれば、開いた状態の便蓋１３０の前端部と、人体検知センサ１４０の後端部と、の間には、隙間Ｃ３が存在する。
【００５２】
これによれば、人体検知センサ１４０が使用者の退室を検知する際に、便蓋１３０の障害を抑制することができる。そのため、人体検知センサ１４０は、使用者の退室を精度よく検知することができる。
【００５３】
次に、人体検知センサの取付構造の具体例について、図面を参照しつつ説明する。  
図５は、本実施形態の人体検知センサの取付構造の具体例を表す模式的斜視図である。
【００５４】
本実施形態のケースカバー１１１ａは、上面部１１４を有する（図４（ａ）および図４（ｂ）参照）。図５に表したように、ケースカバー１１１ａの上面部１１４の内面１１４ａには、内面１１４ａから略下方へ向かって突出した突起部１１４ｂが設けられている。図５に表したように、例えばねじなどの締結部材１６３により、カバー部材１６１が突起部１１４ｂに固定されている。本具体例の人体検知センサ１４０は、カバー部材１６１に取り付けられている。つまり、本具体例の人体検知センサ１４０は、カバー部材１６１を介してケースカバー１１１ａに取り付けられている。
【００５５】
本具体例によれば、ケースカバー１１１ａの表面と、人体検知センサ１４０から放射される電波の最大指向方向１４９（図１（ａ）および図１（ｂ）参照）と、の間の角度の関係を安定させることができる。これにより、ケースカバー１１１ａによる電波の減衰度合いを安定させることができる。そのため、人体検知センサ１４０は、使用者の入室および使用者の退室を精度よく検知することができる。
【００５６】
本願明細書において「最大指向方向」とは、人体検知センサ１４０の検知領域１４８のうちで電波の強度が最大となる方向をいうものとする。
【００５７】
図６は、本実施形態の人体検知センサの取付構造の他の具体例を表す模式的斜視図である。  
ケースカバー１１１ａの上面部１１４の内面１１４ａには、内面１１４ａから略下方へ向かって延在した支持部１１４ｃが設けられている。支持部１１４ｃは、カバー部材１６１を支持している。本具体例の人体検知センサ１４０は、カバー部材１６１に取り付けられている。つまり、本具体例の人体検知センサ１４０は、カバー部材１６１を介してケースカバー１１１ａに取り付けられている。  
本具体例によれば、図５に関して前述した効果と同様の効果が得られる。
【００５８】
図７は、本実施形態の人体検知センサの取付構造のさらに他の具体例を表す模式的斜視図である。  
本具体例では、図５に関して前述したように、カバー部材１６１が例えばねじなどの締結部材１６３により突起部１１４ｂに固定されている。カバー部材１６１は、曲面１６１ａを有する。また、カバー部材１６１は、カバー部材１６１の下面から下方に突出した角度規制部１６２を有する。図７（ｂ）に表したように、角度規制部１６２は、径外方向に突出した凸部１６２ａを有する。
【００５９】
カバー部材１６１には、保持部材１６５が取り付けられている。保持部材１６５は、人体検知センサ１４０を保持する。図７（ｂ）に表したように、保持部材１６５は、カバー部材１６１の角度規制部１６２と係合可能な孔１６６を有する。孔１６６は、角度規制部１６２の凸部１６２ａと係合可能な第１の凹部１６６ａ、第２の凹部１６６ｂおよび第３の凹部１６６ｃを有する。図７（ｂ）表した具体例では、角度規制部１６２の凸部１６２ａは、孔１６６の第２の凹部１６６ｂと係合している。
【００６０】
保持部材１６５は、曲面１６５ａを有する。保持部材１６５の曲面１６５ａは、カバー部材１６１の曲面１６１ａの上を摺動することができる。
【００６１】
例えば、本実施形態にかかる衛生洗浄装置１００を工場において製造するときに、作業者は、角度規制部１６２の凸部１６２ａと係合させる孔１６６の凹部を決定することで、人体検知センサ１４０の最大指向方向１４９を所定の方向に設定することができる。
【００６２】
例えば、作業者は、角度規制部１６２の凸部１６２ａを孔１６６の第１の凹部１６６ａと係合させることで、人体検知センサ１４０の最大指向方向を図３（ａ）および図３（ｃ）に表した第１の最大指向方向１４９ａに設定することができる。  
例えば、作業者は、角度規制部１６２の凸部１６２ａを孔１６６の第２の凹部１６６ｂと係合させることで、人体検知センサ１４０の最大指向方向を図３（ａ）および図３（ｃ）に表した第２の最大指向方向１４９ｂに設定することができる。  
例えば、作業者は、角度規制部１６２の凸部１６２ａを孔１６６の第３の凹部１６６ｃと係合させることで、人体検知センサ１４０の最大指向方向を図３（ａ）および図３（ｃ）に表した第３の最大指向方向１４９ｃに設定することができる。  
第１の最大指向方向１４９ａと、第３の最大指向方向１４９ｃと、は、第２の最大指向方向１４９ｂからみて対称である。
【００６３】
本具体例によれば、トイレルーム３００のドア３１１の位置に応じて、人体検知センサ１４０の最大指向方向１４９を最適な方向に設定することができる。そのため、人体検知センサ１４０は、使用者の入室および使用者の退室を精度よく検知することができる。
【００６４】
なお、角度規制部１６２の凸部１６２ａと係合させる孔１６６の凹部の決定は、工場ではなく、衛生洗浄装置１００の設置現場で行われてもよい。  
また、角度規制部１６２は、必ずしも凸部１６２ａを有していなくともよい。孔１６６は、必ずしも第１の凹部１６６ａ、第２の凹部１６６ｂおよび第３の凹部１６６ｃを有していなくともよい。例えば、作業者は、治具を利用することにより、人体検知センサ１４０の最大指向方向１４９を所定の方向に設定してもよい。  
また、保持部材１６５およびカバー部材１６１の少なくともいずれかが図示しないロック機能を有することにより、人体検知センサ１４０の最大指向方向１４９の設定が衛生洗浄装置１００の設置現場で簡易的に行われてもよい。
【００６５】
図８は、本実施形態の人体検知センサの取付構造のさらに他の具体例を表す模式的斜視図である。  
本具体例では、衛生洗浄装置１００の機能部品１６７が、ケースプレート１１１ｂの底面部１１６（図４（ａ）および図４（ｂ）参照）の内面１１６ａに設けられている。図８に表したように、例えばねじなどの締結部材１６３により、保持部材１６５が機能部品１６７に固定されている。保持部材１６５は、人体検知センサ１４０を保持している。つまり、本具体例の人体検知センサ１４０は、保持部材１６５および機能部品１６７を介してケースプレート１１１ｂに取り付けられている。
【００６６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、衛生洗浄装置１００などが備える各要素の形状、寸法、材質、配置などや人体検知センサ１４０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６７】
１０ トイレ装置、  １００ 衛生洗浄装置、  １１０ 本体部、  １１１ ケーシング、  １１１ａ ケースカバー、  １１１ｂ ケースプレート、  １１２ 後面、  １１２ａ 第１の後面部、  １１２ｂ 第２の後面部、  １１４ 上面部、  １１４ａ 内面、  １１４ｂ 突起部、  １１４ｃ 支持部、  １１５ ノズルシャッタ、  １１６ 底面部、  １１６ａ 内面、  １２０ 便座、  １３０ 便蓋、  １４０、１４０ａ 人体検知センサ、  １４１ アンテナ、  １４１ａ 送信側のアンテナ、  １４１ｂ 受信側のアンテナ、  １４３ 送信部、  １４５ 受信部、  １４７ ミキサ部、  １４８ 検知領域、  １４９ 最大指向方向、  １４９ａ 第１の最大指向方向、  １４９ｂ 第２の最大指向方向、  １４９ｃ 第３の最大指向方向、  １５１ 制御部、  １５３ ノズルモータ、  １５５ 洗浄ノズル、  １５５ａ 吐水口、  １５７ 便蓋開閉ユニット、  １５９ 便座開閉ユニット、  １６１ カバー部材、  １６１ａ 曲面、  １６２ 角度規制部、  １６２ａ 凸部、  １６３ 締結部材、  １６５ 保持部材、  １６５ａ 曲面、  １６６ 孔、  １６６ａ 第１の凹部、  １６６ｂ 第２の凹部、  １６６ｃ 第３の凹部、  １６７ 機能部品、  ２００ 操作部、  ３００ トイレルーム、  ３１１ ドア、  ３５１、３５３ 矢印、  ８００ 便器、  ８０１ ボウル
【図１】
2020012372.tif 000003
【図２】
2020012372.tif 000004
【図３】
2020012372.tif 000005
【図４】
2020012372.tif 000006
【図５】
2020012372.tif 000007
【図６】
2020012372.tif 000008
【図７】
2020012372.tif 000009
【図８】
2020012372.tif 000010